(57)【要約】【課題】ユーザがレーザ光源、回路基板、又は光ファイバに触れることなく、接続具のメンテナンスを容易に行うことができる。【解決手段】  光出射装置１００は、レーザ光源２と、回路基板１と、第１光ファイバ３と、接続具５と、レーザ光源２、回路基板１、第１光ファイバ３、４、及び接続具５を収納可能に中空に形成される収納ケース１０と、を備え、収納ケース１０は、第１収納室３０と第２収納室４０とを仕切る仕切り壁３６，３７を有し、第１収納室３０はレーザ光源２、回路基板１、及び第１光ファイバ３が収納され、第２収納室４０は接続具５が収納され、仕切り壁３６、３７に形成され、第１光ファイバ３が挿通される連通孔３７Ｈと、第２収納室４０の外壁６２に形成され、接続具５又は第２光ファイバ７が挿通される開口６２Ｈと、を有す。【選択図】図５
2012078388.tif 000002
【特許請求の範囲】
【請求項１】
レーザ光を出射するレーザ光源と、
前記レーザ光源と電気的に接続され、前記レーザ光源から出射されるレーザ光を制御するための制御信号を前記レーザ光源に送る回路基板と、
前記レーザ光源と光学的に接続され、前記レーザ光源から出射されたレーザ光を伝送する第１光ファイバと、
レーザ光を受け取る受光対象と光学的に接続される第２光ファイバと前記第１光ファイバとを接続可能に貫通される接続具と、
前記レーザ光源、前記回路基板、前記第１光ファイバ、及び前記接続具を収納するように中空に形成される収納ケースと、を備え、
前記収納ケースは、
第１収納室と第２収納室とを仕切る仕切り壁と、
前記仕切り壁に形成され、前記第１光ファイバが挿通される連通孔と、
前記第２収納室の外壁に形成され、前記第２光ファイバが挿通される開口と、を有し、
前記第１収納室は前記レーザ光源、前記回路基板、及び前記第１光ファイバが収納され、
前記第２収納室は前記接続具が収納されることを特徴とする光出射装置。
【請求項２】
前記第１収納室は、
少なくとも前記回路基板の厚み方向に沿う所定方向の一方の向きに開放され、前記回路基板、前記レーザ光源、及び前記第１光ファイバが配置される第１配置部と、
前記第１配置部を覆う第１カバーと、
を備えることを特徴とする請求項１に記載の光出射装置。
【請求項３】
前記第２収納室は、
少なくとも前記所定方向の前記一方の向きと異なる他方の向きに開放され、前記接続具が配置される第２配置部と、
前記第２配置部を覆う第２カバーと、
を備えることを特徴とする請求項２に記載の光出射装置。
【請求項４】
前記第２収納室は、
前記接続具の側面を挟むように前記所定方向に突出して形成され、前記第２収納室内における前記接続具の移動を規制する規制部を備えることを特徴とする請求項１〜３のいずれかに記載の光出射装置。
【請求項５】
前記第２配置部は、
前記所定方向において前記第２カバーと相対する向きに突出して形成され、前記第２収納室内における前記接続具の少なくとも貫通方向における片方の向きの移動を規制する第１規制部を有し、
前記第２カバーは、
前記所定方向において前記接続具と相対する向きに突出して形成され、前記第２収納室内における前記接続具の少なくとも貫通方向における前記片方の向きとは異なる向きの移動を規制する第２規制部を有することを特徴とする請求項３に記載の光出射装置。
【請求項６】
前記収納ケースは、直方体形状であることを特徴とする請求項１〜５のいずれかに記載の光出射装置。
【請求項７】
前記第１の光ファイバの長さは、
前記第１収納室に収納される前記レーザ光源と、前記第２収納室に収納される前記接続
具と、の間の最短距離と、前記接続具の貫通方向における前記接続具の長さとを足した長さ以上であることを特徴とする請求項１〜６のいずれかに記載の光出射装置。
【請求項８】
請求項１〜７のいずれかに記載の光出射装置と、
前記光出射装置と光学的に接続され、前記光出射装置から出射されたレーザ光を伝送する第２光ファイバと、
前記第２光ファイバから出射されたレーザ光を第１方向に走査する第１光スキャナと、
前記第１光スキャナによって前記第１方向に走査されたレーザ光を、前記第１方向と略直交する第２方向に走査する第２光スキャナと、
前記第２光スキャナによって前記第２方向に走査されたレーザ光を瞳孔に投射する投射部と、
を備えることを特徴とする網膜走査ディスプレイ。
【発明の詳細な説明】
【技術分野】
【０００１】
本発明は、レーザ光を生成し、出射する光出射装置に関し、さらに詳しくは、レーザ光源、回路基板又は光ファイバがユーザに触れられることにより、レーザ光源、回路基板又は光ファイバに動作上の悪影響を及ぼすことを防ぐ収納ケースを備える光出射装置に関する。
【背景技術】
【０００２】
光出射装置とは、レーザ光を生成し、出射する装置である。この種の光出射装置を備える表示装置の一例として、網膜走査ディスプレイ（以下、ＲＳＤと呼ぶ）が知られている。ＲＳＤは、画像信号に応じた強度のレーザ光を出射し、そのレーザ光を２次元走査して、網膜上に投影表示する装置である。
【０００３】
ＲＳＤの例として、例えば特許文献１に記載の装置が知られている。特許文献１に記載の網膜走査型画像表示装置は、画像光を出射する、光出射装置としての光源ユニットと、頭部に装着することでユーザの網膜に画像光を投射する頭部装着ユニットと、を備える。
【先行技術文献】
【特許文献】
【０００４】
【特許文献１】特開２０１０−７９１０４号公報
【発明の概要】
【発明が解決しようとする課題】
【０００５】
光源ユニットの出射部において、使用目的によって光源ユニットと頭部装着ユニットとが頻繁に着脱される。ゆえに、画像表示装置は、種々のメンテナンスが行なわれる。例えば、光源ユニットと頭部装着ユニットとは、光ファイバにて接続される。そして、光源ユニット側の光ファイバ端と頭部装着ユニット側の光ファイバ端とは、接続具にて接続される。ユーザは、その接続具が損傷した場合に新しい接続具に交換する、その接続具の接続不良を解消するため光ファイバ端と接続具とを接続しなおす、その接続具と光ファイバ端とが良好に接続されているか確認する、光ファイバの光伝送を良好にするため光ファイバ端及び接続具のゴミや汚れを清掃する、等のメンテナンスを行うことがある。しかしながら、接続具は、ユーザの手指が容易に接触しないように光源ユニットを覆う収納ケース内に設置される。
【０００６】
このため、ユーザがその接続具のメンテナンスを行う際に、収納ケース内からその接続具を外部に露出する必要がある。ユーザが接続具を収納ケースから外部に露出するために、ユーザが収納ケースのカバーを開放する。すると、接続具に加え、収納ケース内部に収納されるレーザ光源、画像信号をレーザ光源に送る回路基板、レーザ光源と接続具とを接続する光ファイバ等が露出される。このため、ユーザが接続具のメンテナンスを行う際に、ユーザがレーザ光源、回路基板、又は光ファイバに触れてしまう危険性がある。その結果、レーザ光源又は回路基板に静電気による動作上の悪影響が及んだり、光ファイバの曲げ半径が変わりレーザ光の曲げ損失が発生したりする恐れがあった。
【０００７】
本発明は、上記の問題点に鑑みてなされたものであり、ユーザがレーザ光源、回路基板、又は光ファイバに触れることなく、接続具のメンテナンスを容易に行うことができる光出射装置を提供することを目的とする。
【課題を解決するための手段】
【０００８】
上記目的を達成するために、請求項１に記載の光出射装置は、レーザ光を出射するレーザ光源と、前記レーザ光源と電気的に接続され、前記レーザ光源から出射されるレーザ光を制御するための制御信号を前記レーザ光源に送る回路基板と、前記レーザ光源と光学的に接続され、前記レーザ光源から出射されたレーザ光を伝送する第１光ファイバと、レーザ光を受け取る受光対象と光学的に接続される第２光ファイバと前記第１光ファイバとを接続可能に貫通される接続具と、前記レーザ光源、前記回路基板、前記第１光ファイバ、及び前記接続具を収納するように中空に形成される収納ケースと、を備え、前記収納ケースは、第１収納室と第２収納室とを仕切る仕切り壁と、前記仕切り壁に形成され、前記第１光ファイバが挿通される連通孔と、前記第２収納室の外壁に形成され、前記第２光ファイバが挿通される開口と、を有し、前記第１収納室は前記レーザ光源、前記回路基板、及び前記第１光ファイバが収納され、前記第２収納室は前記接続具が収納されることを特徴とする。
【０００９】
請求項２に記載の光出射装置は、前記第１収納室は、少なくとも前記回路基板の厚み方向に沿う所定方向の一方の向きに開放され、前記回路基板、前記レーザ光源、及び前記第１光ファイバが配置される第１配置部と、前記第１配置部を覆う第１カバーと、を備えることを特徴とする。
【００１０】
請求項３に記載の光出射装置は、前記第２収納室は、少なくとも前記所定方向の前記一方の向きと異なる他方の向きに開放され、前記接続具が配置される第２配置部と、前記第２配置部を覆う第２カバーと、を備えることを特徴とする。
【００１１】
請求項４に記載の光出射装置は、前記第２収納室は、前記接続具の側面を挟むように前記所定方向に突出して形成され、前記第２収納室内における前記接続具の移動を規制する規制部を備えることを特徴とする。
【００１２】
請求項５に記載の光出射装置は、前記第２配置部は、前記所定方向において前記第２カバーと相対する向きに突出して形成され、前記第２収納室内における前記接続具の少なくとも貫通方向における片方の向きの移動を規制する第１規制部と、前記第２カバーは、前記所定方向において前記接続具と相対する向きに突出して形成され、前記第２収納室内における前記接続具の少なくとも貫通方向における前記片方の向きとは異なる向きの移動を規制する第２規制部と、を有することを特徴とする。
【００１３】
請求項６に記載の光出射装置は、前記収納ケースは、直方体形状であることを特徴とする。
【００１４】
請求項７に記載の光出射装置は、前記第１の光ファイバの長さは、前記第１収納室に収納される前記レーザ光源と、前記第２収納室に収納される前記接続具と、の間の最短距離と、前記接続具の貫通方向における前記接続具の長さとを足した長さ以上であることを特徴とする。
【００１５】
請求項８に記載の網膜走査ディスプレイは、請求項１〜７のいずれかに記載の光出射装置と、前記光出射装置と光学的に接続され、前記光出射装置から出射されたレーザ光を伝送する第２光ファイバと、前記第２光ファイバから出射されたレーザ光を第１方向に走査する第１光スキャナと、前記第１光スキャナによって前記第１方向に走査されたレーザ光を、前記第１方向と略直交する第２方向に走査する第２光スキャナと、前記第２光スキャナによって前記第２方向に走査されたレーザ光を瞳孔に投射する投射部と、を備えることを特徴とする。
【発明の効果】
【００１６】
請求項１に記載の光出射装置によれば、レーザ光源、回路基板、及び第１光ファイバは第１収納室に収納され、接続具は第２収納室に収納される。そして、第１収納室と、第２収納室とは、仕切り壁によって、仕切られている。即ち、接続具と、レーザ光源、回路基板、及び第１光ファイバと、は、空間的に離間されており、ユーザが接続具のメンテナンスを行いたい場合、第２収納室だけで作業を行うことができる。その結果、ユーザが故意に触れない限り、ユーザが接続具のメンテナンスを行う際に、レーザ光源、回路基板、又は第１光ファイバに触れる危険性がなくなる。
【００１７】
請求項２に記載の光出射装置によれば、第１収納室は第１配置部と、第１カバーと、を備える。ユーザは、第１カバーが第１配置部を覆っている場合、ユーザはレーザ光源、回路基板、又は第１光ファイバに触れることができない。一方、ユーザは、レーザ光源、回路基板、又は第１光ファイバのメンテナンスを行う必要がある場合、ユーザは、第１カバーを第１配置部から開いて又は取り外し、レーザ光源、回路基板、及び第１光ファイバを外部に露出させることができる。
【００１８】
請求項３に記載の光出射装置によれば、第２収納室は第２カバーと第２配置部とを備える。ユーザは、第２カバーが第２配置部を覆っている場合、接続具に触れることができない。このため、ユーザが意図せず接続具に触れる危険性がない。一方、ユーザが接続具のメンテナンスを行う必要がある場合、第１カバーが第１配置部を覆っている状態で、ユーザは、第２カバーを第２配置部から開いて又は取り外し、接続具のみを外部に露出させる。このため、ユーザはレーザ光源、回路基板、又は第１光ファイバに触れる危険性がなく、接続具のメンテナンスを行うことができる。また、第１収納室は所定方向における一方の向きに開放され、第２収納室は、所定方向における他方の向きに開放される。これにより、仮に第１配置部から第１カバーが開かれ又は取り外された場合においても、第１収納室と第２収納室とは所定方向において互いに反対側の面に開放されているので、ユーザがレーザ光源、回路基板、又は第１光ファイバに触れる危険性がない。
【００１９】
請求項４に記載の光出射装置によれば、第２収納室内における接続具の移動を規制する規制部を備える。このため、収納ケースに衝撃が加えられた場合においても、第２収納室内で接続具が移動しなくなる。その結果、接続具が第２収納室の内壁に過度に当たる恐れがなくなり、接続具の光伝送に悪影響を及ぼす危険性がなくなる。
【００２０】
請求項５に記載の光出射装置によれば、第２カバーは貫通方向における片方の向きへの移動を規制する第１規制部を有し、第２配置部は貫通方向における片方の向きとは異なる向きの移動を規制する第２規制部を有する。第２カバーが第２配置部に閉じられて又は取り付けられた際に、接続具は貫通方向において第１規制部と第２規制部とに挟まれる。これにより、貫通方向における前記片方の向き、前記片方の向きとは異なる向き、即ち貫通方向の両方の移動が規制される。また第２カバーが第２配置部に装着された際に、第２カバーによって所定方向の他方の向き、第２配置部によって所定方向の一方の向き、即ち所定方向の両方の移動が規制される。このため、接続具は第２収納室内を移動することができず、ユーザが接続具のメンテナンスを行わない場合、接続具が第２収納室内を移動し、第２収納室の内壁に過度に当たった結果、接続具の光伝送に悪影響を及ぼす危険性をなくすことができる。また、第２カバーが第２配置部から開かれて又は取り外された際には、接続具は第１規制部と第２規制部とに挟まれない。このため、接続具は第２収納室内を移動することができる。ゆえに、ユーザが接続具のメンテナンスを行う際に、ユーザは自由に接続具を移動することができる。このことにより、接続具のメンテナンス時には、接続具を移動可能とし、メンテナンス時以外においては、接続具の移動を規制することができる。
【００２１】
請求項６に記載の光出射装置によれば、収納ケースは直方体形状である。これにより、
収納ケースが他の形態である場合と比較して、ユーザは収納ケースは持ち運びしやすい。
【００２２】
請求項７に記載の光出射装置によれば、第１光ファイバは、接続具とレーザ光源との間の最短距離と、接続具の貫通方向における接続具の長さとを足した長さ以上である。即ち、第１光ファイバは、ユーザがメンテナンスを行うにあたって十分長く設けられている。その結果、ユーザは接続具を第２収納室の外側、もしくはユーザの手元に出した状態でメンテナンスを行うことができる。
【図面の簡単な説明】
【００２３】
【図１】本実施形態の光出射装置１００の収納ケース１０を取り除いた状態の内部の構成を示す斜視図である。
【図２】回路基板１と、レーザ光源２と、第１光ファイバ３と、光源側コネクタ４と、アダプタ５と、受光対象側コネクタ６の一部と、が、収納ケース１０に収納された様子を示す斜視図である。
【図３】収納ケース１０の本体２０と第１カバー５０とを分離させた状態を示す斜視図である。
【図４】図２の光出射装置１００を左右方向を軸に１８０度回転させた斜視図である。
【図５】本体２０と第２カバー６０とを分離させた斜視図である。
【図６】（Ａ）第２カバー６０の側面図（Ｂ）第２カバー６０の底面図である。
【図７】第２カバー６０を取り除いた本体２０とアダプタ５と光源側コネクタ４とを示す底面図である。
【図８】収納ケース２０Ｂの斜視図である。
【図９】収納ケース２０Ｂの底面図である。
【図１０】光源側コネクタ４、アダプタ５、受光対象側コネクタ６が第２収納室４０Ｂに収納された収納ケース１０Ｂを示す底面図である。
【図１１】収納ケース１０Ｃの斜視図である。
【図１２】収納ケース１０Ｃの本体２０Ｃを示す斜視図である。
【図１３】収納ケース１０Ｃの第２カバー６０Ｃを示す斜視図である。
【発明を実施するための形態】
【００２４】
〔第１実施形態〕
以下、本発明の光出射装置の第１実施形態を、図１〜図７を参照して説明する。図１は、本実施形態の光出射装置１００の収納ケース１０を取り除いた状態の内部の構成を示す斜視図である。
【００２５】
光出射装置１００は、回路基板１と、レーザ光源２と、第１光ファイバ３と、光源側コネクタ４と、アダプタ５と、受光対象側コネクタ６と、第２光ファイバ７と、収納ケース１０と、を備える。本実施形態における回路基板１、レーザ光源２、及び収納ケース１０は、順に本発明における回路基板、レーザ光源、及び収納ケースの一例である。本実施形態におけるアダプタ５は、本発明における接続具の一例である。本実施形態における第１光ファイバ３、及び光源側コネクタ４は、本発明における第１光ファイバの一例である。本実施形態における受光対象側コネクタ６、及び第２光ファイバ７は、本発明における第２光ファイバの一例である。
【００２６】
回路基板１は、コンテンツ情報を回路基板１に送る外部装置（図示しない）と、レーザ光源２と、に電気的に接続される。回路基板１は、前記外部装置から送られたコンテンツ情報を基に、画像信号を生成し、レーザ光源２に画像信号を送る。外部装置は、例えばパーソナルコンピュータである。コンテンツ情報は、文字を表示させるためのデータ、画像を表示させるためのデータ及び動画を表示させるためのデータのうちの少なくとも１種類
のデータであり、例えば、パーソナルコンピュータで使用される文書ファイル、画像ファイル、又は動画ファイル等である。回路基板１は、例えば電源回路、画像信号供給回路、レーザドライバ回路のうちの少なくとも１つの回路を搭載する基板である。
【００２７】
レーザ光源２は、回路基板１から送られた画像信号を基に、画像光を生成し、画像光を出射する。レーザ光源２は、例えば、レーザダイオードである。
【００２８】
第１光ファイバ３は、レーザ光源２と光学的に接続される。レーザ光源２から出射された画像光は、第１光ファイバ３内を伝送される。
【００２９】
光源側コネクタ４は、第１光ファイバ３と光学的に接続される。第１光ファイバ３から伝送された画像光は、光源側コネクタ４から出射され、アダプタ５内で受光対象側コネクタ６に伝送される。
【００３０】
アダプタ５は、光源側コネクタ４と受光対象側コネクタ６とに物理的に接続される。アダプタ５は、光源側コネクタ４の画像光が出射される部分と受光対象側コネクタ６の画像光が受光される部分とを相対させ、近接させた状態で固定可能なよう貫通されている。これにより、光源側コネクタ４から出射された画像光を受光対象側コネクタ６に少ない伝送損失で伝送することができる。アダプタ５は、例えば特開平７−２１８７６２号公報記載のＳＣアダプタである。
【００３１】
受光対象側コネクタ６は、第２光ファイバ７と光学的に接続される。光源側コネクタ４、及び受光対象側コネクタ６は、例えば特開平７−２１８７６２号公報記載のＳＣコネクタである。
【００３２】
第２光ファイバ７は、受光対象（図示しない）と光学的に接続される。第２光ファイバ７を通過した画像光は、受光対象に伝送される。受光対象とは、例えば特許文献１に記載の網膜走査ディスプレイの頭部装着型ユニットである。
【００３３】
回路基板１と、レーザ光源２と、第１光ファイバ３と、光源側コネクタ４と、アダプタ５と、受光対象側コネクタ６の一部とは、収納ケース１０に収納される。
【００３４】
図２は、回路基板１と、レーザ光源２と、第１光ファイバ３と、光源側コネクタ４と、アダプタ５と、受光対象側コネクタ６の一部と、が、収納ケース１０に収納された様子を示す斜視図である。収納ケース１０は、中空に形成された直方体である。収納ケース１０は、回路基板１と、レーザ光源２と、第１光ファイバ３と、光源側コネクタ４と、アダプタ５と、受光対象側コネクタ６の一部と、を収納することができる。収納ケース１０は、アクリル樹脂にて形成される。受光対象側コネクタ６の一部と、第２光ファイバ７と、が収納ケース１０の外部に露出される。
【００３５】
図３は、収納ケース１０の本体２０と第１カバー５０とを分離させた状態を示す斜視図である。収納ケース１０は、本体２０と、第１カバー５０と、第２カバー６０と、を備える。
【００３６】
方向について定義する。第１カバー５０は、長方形の板形状を有す。前記長方形の長辺方向を左右方向とする。前記長方形の短辺方向を前後方向とする。前記第１カバー５０の厚み方向を上下方向とする。本実施形態における上下方向は、本発明における所定方向の一例である。本実施形態における左右方向は、本発明における貫通方向の一例である。
【００３７】
第１カバー５０は、収納ケース１０の外壁の一部である。本実施形態における第１カバ
ー５０は、本発明における第１カバーの一例である。
【００３８】
本体２０は、第１収納室３０と、第２収納室４０と、を備える。本実施形態における第１収納室３０、及び第２収納室４０は、順に本発明における第１収納室、及び第２収納室の一例である。
【００３９】
第１収納室３０は、下向きに深さを有し、上から見て鉤形の凹所である。回路基板１と、レーザ光源２と、第１光ファイバ３と、は、第１収納室３０内に収納される。第１収納室３０は、第１床３１と、外側壁３２、３３、３４、３５と、仕切り側壁３６、３７と、第１カバー５０と、で囲まれる。本実施形態における第１床３１、外側壁３２、３３、３４、３５、及び仕切り側壁３６、３７は、本発明の第１配置部の一例である。本実施形態における仕切り側壁３６、３７は、本発明における仕切り壁の一例である。本実施形態における上向きは、本発明における一方の向きの一例である。
【００４０】
第１床３１は、前記鉤形の凹所の底面にあたり、左右方向及び前後方向に延びる面を有す板である。第１床３１は、収納ケース１０の外壁の一部である。
【００４１】
外側壁３２、３３、３４、３５、及び仕切り側壁３６、３７は、第１床３１と接続され、上向きに延びる面を有す。
【００４２】
外側壁３２は、第１床３１の後端から左右方向に平行かつ上向きに延びる面を有す板である。
【００４３】
外側壁３３は、第１床３１の左端から前後方向に平行かつ上向きに延びる面を有す板である。外側壁３３の後端と外側壁３２の左端とは、接続される。
【００４４】
外側壁３４は、第１床３１の前端から左右方向に平行かつ上向きに延びる面を有す板である。外側壁３４の左端と外側壁３３の前端とは、接続される。
【００４５】
外側壁３５は、第１床３１の右端から前後方向に平行かつ上向きに延びる面を有す板である。外側壁３５の前端と外側壁３４の右端とは、接続される。
【００４６】
外側壁３２，３３、３４、３５は、収納ケース１０の外壁の一部である。
【００４７】
仕切り側壁３６は、第１床３１から左右方向に平行かつ上向きに延びる面を有す板である。仕切り側壁３６の右端と外側壁３５の後端とは、接続される。
【００４８】
仕切り側壁３７は、第１床３１から前後方向に平行かつ上向きに延びる面を有す板である。仕切り側壁３７の前端と仕切り側壁３６の左端とは、接続される。仕切り側壁３７の後端と外側壁３２の右端とは、接続される。
【００４９】
第１カバー５０の左右方向における長さは、本体２０の第１収納室３０の左右方向における長さとほぼ等しい。第１カバー５０の前後方向における長さは、本体２０の第１収納室３０の前後方向における長さとほぼ等しい。このため、第１カバー５０と本体２０とを嵌め合うことで、第１収納室３０を密閉することができる。
【００５０】
第１カバー５０の本体２０との組み付け方法について説明する。ユーザは、第１カバー５０の下面と本体２０の第１床３１の上面とを上下方向に対向させる。そして、ユーザは、第１カバー５０の後端、左端、前端、右端と、外側壁３２の上端、外側壁３３の上端、外側壁３４の上端、外側壁３５の上端、と、がそれぞれ当接させた状態で、ユーザは、第
１カバー５０と本体２０とを、第１カバー５０の上からねじ止めする。
【００５１】
図４は、図２の光出射装置１００を左右方向を軸に１８０度回転させた斜視図である。収納ケース１０の本体２０に第２カバー６０が取り付けられている。
【００５２】
図５は、本体２０と第２カバー６０とを分離させた斜視図である。
【００５３】
第２収納室４０は、上向きに深さを有し、下から見て四角い凹所である。第１光ファイバ３の一部と、光源側コネクタ４と、アダプタ５と、受光対象側コネクタ６の一部と、は、第２収納室４０内に収納される。第２収納室４０は、第２床４１と、仕切り側壁３６、３７と、外側壁４２と、第１板部６１と、第２板部６２と、で囲まれる。本実施形態における第２床４１、仕切り側壁３６、３７、及び外側壁４２は、本発明における第２配置部の一例である。本実施形態における下向きは、本発明における他方の向きの一例である。
【００５４】
アダプタ５は、接続部５Ｃと、リブ５Ａ、５Ｂと、を備える。接続部５Ｃは、直方体形状である。接続部５Ｃは、光源側コネクタ４の画像光が出射される部分と受光対象側コネクタ６の画像光が受光される部分とを相対させ、近接させた状態で固定可能なよう左右方向に連通されて形成される。リブ５Ａ、５Ｂは、接続部５Ｃの左右方向における中央から、前後方向に突出して上下方向に延びている。
【００５５】
第２床４１は、前記四角い凹所の底面にあたり、左右方向と前後方向とに延びる面を有す板である。
【００５６】
外側壁４２は、第２床４１の後端から左右方向に平行かつ下向きに延びる面を有す板である。外側壁４２は、外側壁３２と同一平面上に設けられる。外側壁４２の左端と、外側壁３２の右端とは接続される。外側壁４２は、収納ケース１０の外壁の一部である。
【００５７】
連通孔３７Ｈは、仕切り側壁３７の前後方向における中央に左右方向に貫通されて形成される。
【００５８】
連通孔３７Ｈの前後方向における長さは、光源側コネクタ４の前後方向における長さより大きい。連通孔３７Ｈの上下方向における高さは、光源側コネクタ４の上下方向における高さより大きい。即ち、連通孔３７Ｈは、光源側コネクタ４を挿通可能に設けられる。本実施形態における連通孔３７Ｈは、本発明における連通孔の一例である。
【００５９】
第２カバー６０は、第１板部６１と、第２板部６２と、を備える。本実施形態における第２カバー６０は、本発明における第２カバーの一例である。
【００６０】
第１板部６１は、左右方向と前後方向とに平行な面を有す板である。第１板部６１は、収納ケース１０の外壁の一部である。
【００６１】
第２板部６２は、前後方向に平行かつ上向きに延びる面を有す板である。第２板部６２の下端と第１板部６１の右端とは接続される。第２板部６２は、収納ケース１０の外壁の一部である。本実施形態における第２板部６２は、本発明における第２収納室の外壁の一例である。
【００６２】
開口６２Ｈは、第２板部６２の前後方向における中央にて左右方向に開放されて設けられる。開口６２Ｈの前後方向における長さは、受光対象側コネクタ６の前後方向における長さより大きい。開口６２Ｈの上下方向における高さは、受光対象側コネクタ６の上下方向における高さより大きい。即ち、開口６２Ｈは、受光対象側コネクタ６を挿通可能に設
けられる。本実施形態における開口６２Ｈは、本発明における開口の一例である。
【００６３】
第１板部６１及び第２板部６２の寸法について説明する。第１板部６１の前後方向における長さは、第２収納室４０の前後方向における長さとほぼ等しい。第１板部６１の左右方向における長さは、第２収納室４０の左右方向における長さとほぼ等しい。第２板部６２の前後方向における長さは、第２収納室４０の上下方向における高さとほぼ等しい。このため、第２カバー６０と本体２０とを嵌め合うことで、第２収納室６０を密閉することができる。
【００６４】
図６（Ａ）は、第２カバー６０を後方から見た側面図である。図６（Ｂ）は、第２カバー６０を上方から見た底面図である。
【００６５】
第１板部６１は、第２規制部６３を備える。第２規制部６３は、前後方向に平行かつ上向きに延びる面を有す板である。第２規制部６３の上下方向における長さは、第２板部６２の上下方向における長さより小さい。挿通孔６３Ｈは、第２規制部６３の前後方向における中央に左右方向に貫通されて形成される。本実施形態における第２規制部６３は、本発明における規制部の一例、及び第２規制部の一例である。
【００６６】
挿通孔６３Ｈの寸法について説明する。挿通孔６３Ｈの前後方向における長さは、接続部５Ｃの前後方向における長さより大きい。挿通孔６３Ｈの上下方向における高さは、接続部５Ｃの上下方向における高さより大きい。即ち、挿通孔６３Ｈは、接続部５Ｃが左右方向に挿通されるよう設けられる。挿通孔６３Ｈの前後方向における長さは、接続部５Ｃの前後方向における長さとリブ５Ａ、５Ｂの前後方向における長さとを足した長さより小さい。即ち、リブ５Ａ、５Ｂは、第２規制部６３に当たる。これにより、アダプタ５が右向きに移動することを規制することができる。本実施形態における右向きとは、本発明における片方の向きとは異なる向きの一例である。
【００６７】
第２板部６２は、第１板部６１の右端にて接続される。爪部６４は、第１板部６１の上面の左端の前後方向における中央に接続される。爪部６４は、第２カバー６０を本体２０に嵌め込む際に、連通孔３７Ｈに挿入される。爪部６４が仕切り側壁３７に引っかかり、第２カバー６０と本体２０とが容易に分離しなくなる。
【００６８】
溝部６５は、図６（Ａ）に示すように、第１板部６１の下面の左端の前後方向における中央に設けられる。溝部６５は、上向きに深さを有し、下から見て四角い溝である。ユーザは、爪部６４が仕切り側壁３７に引っ掛けられた状態において、溝部６５を上方に押さえて第２カバー６０を右方に引くことで、爪部６４が連通孔３７Ｈから外れ、第２カバー６０と本体２０とを分離させることができる。
【００６９】
図７は、第２カバー６０を取り除いた本体２０とアダプタ５とを下から見た図である。
【００７０】
第２床４１は、第１規制部４３を備える。第１規制部４３は、第２床４１から前後方向に平行かつ下向きに延びる面を有す板である。第１規制部４３は、外側壁４２、及び仕切り側壁３６とそれぞれ接続される。挿通孔４３Ｈは、第１規制部４３の前後方向における中央に左右方向に貫通されて形成される。本実施形態における第１規制部４３は、本発明における第１規制部の一例である。本実施形態における第１規制部４３は、本発明における規制部の一例である。
【００７１】
挿通孔４３Ｈの大きさについて説明する。挿通孔４３Ｈの前後方向における長さは、接続部５Ｃの前後方向における長さより大きい。挿通孔４３Ｈの上下方向における高さは、接続部５Ｃの上下方向における高さより大きい。即ち、挿通孔４３Ｈは、接続部５Ｃが左
右方向に挿通されるよう設けられる。挿通孔４３Ｈの前後方向における長さは、接続部５Ｃの前後方向における長さとリブ５Ａ、５Ｂの前後方向における長さとを足した長さより小さい。即ち、リブ５Ａ、５Ｂは、第１規制部４３に当たる。これにより、アダプタ５が左向きに移動することを規制している。本実施形態における左向きとは、本発明における片方の向きの一例である。
【００７２】
第２カバー６０を本体２０に嵌めた際の、第１規制部４３と、第２規制部６３と、の左右方向における距離ＲＬは、リブ５Ａ、５Ｂの各リブの左右方向における長さとほぼ等しい。このため、アダプタ５のリブ５Ａと５Ｂとが第１規制部４３と第２規制部６３とに挟まれることで、アダプタ５が左右方向に移動することを規制している。また、アダプタ５の接続部５Ｃの左右方向に沿う側面が、第１規制部４３と第２規制部６３とに当たることで、アダプタ５が前後方向に移動することを規制している。また、アダプタ５の接続部５Ｃの上面が第２床４１に当たり、アダプタ５の接続部５Ｃの下面が第１板部６１に当たることで、アダプタ５が上下方向に移動することを規制している。このように、第２カバー６０を本体２０に嵌めることで、アダプタ５が第２収納室４０内を移動することを防ぐことが出来る。
【００７３】
第１光ファイバ３の長さについて図７を用いて説明する。第１光ファイバ３の長さは、第１収納室３０に収納されたレーザ光源２と、第２収納室４０に収納されたアダプタ５と、の間の左右方向の最短距離ＦＤと、アダプタ５の左右方向の長さＡＬと、を足した長さ以上長く形成される。本実施形態における最短距離ＦＤは、本発明における第１収納室に収納されるレーザ光源と、第２収納室に収納される接続具と、の間の最短距離の一例である。本実施形態における長さＡＬは、本発明における接続具の貫通方向における接続具の長さの一例である。
【００７４】
〔使用例〕
本実施形態の光出射装置１００の第２光ファイバ７は、例えば特許文献１に記載の網膜走査ディスプレイの頭部装着ユニットに光学的に接続される。頭部装着ユニットは、第２光ファイバ７から出射された画像光を水平方向に走査する第１光スキャナと、第１光スキャナによって水平方向に走査された画像光を、水平方向と直交する垂直方向に走査する第２光スキャナと、第２光スキャナによって垂直方向に走査された画像光を瞳孔に投射する投射部と、を備える。第２光ファイバ７を通った画像光は、第１光スキャナによって水平方向に走査される。第１光スキャナによって水平方向に走査された画像光は、第２光スキャナに出射され、水平方向と直交する垂直方向に走査される。垂直方向に走査された画像光は投射部に出射され、ユーザの瞳孔に投射される。これにより、ユーザは、画像光を視認することができる。本実施形態における網膜走査ディスプレイ、第１光スキャナ、第２光スキャナ、及び投射部は、本発明における網膜走査ディスプレイ、第１光スキャナ、第２光スキャナ、及び投射部の一例である。本実施形態における水平方向、及び垂直方向は、順に本発明における第１方向、及び第２方向の一例である。
【００７５】
〔第２実施形態〕
第２実施形態にかかる収納ケース１０Ｂについて、図８、図９、及び図１０を用いて説明する。図８は、収納ケース１０Ｂを示す斜視図である。図８に示すように、収納ケース１０Ｂは、本体２０Ｂと、第１カバー５０と、を備える。本体２０Ｂは、第２収納室４０Ｂを備える。
【００７６】
図９は、収納ケース１０Ｂの平面図である。図９に示すように、第２収納室４０Ｂは、仕切り側壁３６、３７と、外側壁４２と、外側壁４６Ｂと、第２床４１と、で囲まれる。
【００７７】
第１規制部４３と、第２規制部４４Ｂと、第３規制部４５ＢＡ、４５ＢＢと、は、第２
床４１から下向きに延びて形成される。
【００７８】
第２規制部４４Ｂは、第１規制部４３より右側において第２床４１から前後方向に平行かつ下向きに延びる板である。第２規制部４４Ｂは、外側壁４２、及び仕切り側壁３６とそれぞれ接続される。挿通孔４４ＢＨは、第２規制部４４Ｂの前後方向における中央に左右方向に連通されて形成される。本実施形態における第２規制部４４Ｂは、本発明における規制部の一例である。
【００７９】
挿通孔４４ＢＨの大きさについて説明する。挿通孔４４ＢＨの前後方向における長さは、接続部５Ｃの前後方向における長さより大きい。挿通孔４４ＢＨの上下方向における高さは、接続部５Ｃの上下方向における高さより大きい。即ち、挿通孔４４ＢＨは、接続部５Ｃが左右方向に挿通されるよう設けられる。挿通孔４４ＢＨの前後方向における長さは、接続部５Ｃの前後方向における長さとリブ５Ａ、５Ｂの前後方向における長さとを足した長さより小さい。即ち、リブ５Ａ、５Ｂが第２規制部４４Ｂに当たることでアダプタ５が右向きに移動することを防いでいる。
【００８０】
第２収納室４０Ｂの第１規制部４３と、第２規制部４４Ｂと、の左右方向における距離ＲＬ２は、リブ５Ａ、５Ｂの各リブの左右方向における長さとほぼ等しい。
【００８１】
第３規制部４５ＢＡ、４５ＢＢは、第２床４１に設けられ、第１規制部４３の左側にアダプタ５の接続部５Ｃの前後方向における長さだけ隔てて形成される。第３規制部４５ＢＡ、４５ＢＢは、左右方向に平行かつ下向きに延びる面を有す板である。本実施形態における第３規制部４５ＢＡ、４５ＢＢは、本発明における規制部の一例である。
【００８２】
外側壁４６Ｂは、第２床４１の右端から下向きに延びる板である。外側壁４６Ｂは、外側壁３５と同一平面上に設けられる。外側壁４６Ｂの前端は、外側壁３５の後端と接続される。外側壁４６Ｂは、収納ケース１０Ｂの外壁の一部である。
【００８３】
開口４６ＢＨは、外側壁４６Ｂの前後方向における中央にて左右方向に開放されて形成される。開口４６ＢＨの前後方向における長さは、受光対象側コネクタ６の前後方向における長さより大きい。開口４６ＢＨの上下方向における高さは、受光対象側コネクタ６の上下方向における高さより大きい。即ち、開口４６ＢＨは、受光対象側コネクタ６を挿通可能に形成される。本実施形態における開口４６ＢＨは、本発明における開口の一例である。
【００８４】
図１０は、光源側コネクタ４、アダプタ５、及び受光対象側コネクタ６が収納ケース１０Ｂに収納された様子を示す平面図である。図９に示すように、第２収納室４０Ｂの第１規制部４３と、第２規制部４４Ｂと、の左右方向における距離ＲＬ２は、リブ５Ａの左右方向における長さとほぼ等しい。このため、アダプタ５のリブ５Ａと５Ｂとが第１規制部４３と第２規制部４４Ｂとに当たることで、アダプタ５が左右方向に移動することを規制している。また、アダプタ５の接続部５Ｃの左右方向に沿う側面が、第１規制部４３と第２規制部４４Ｂとに当たることで、アダプタ５が前後方向に移動することを規制している。また、アダプタ５の接続部５Ｃの左右方向に沿う側面が、第３規制部４５ＢＡ、４５ＢＢに当たることで、アダプタ５が前後方向に移動することを一層規制している。また、アダプタ５の接続部５Ｃの上面が第２床４１に当たることで、アダプタ５が上向きに移動することを規制している。また、第１規制部４３、第２規制部４４Ｂ、第３規制部４５ＢＡ、４５ＢＢは、弾性を有す部材からなる。このため、アダプタ５が第１規制部４３、第２規制部４４Ｂ、第３規制部４５ＢＡ、４５ＢＢにそれぞれ挟まれ、第２収納室４０Ｂ内に固定される。これにより、アダプタ５が下向きに移動することを規制することができる。このように、アダプタ５を本体２０Ｂの第２収納室４０Ｂに嵌めることで、アダプタ５が
第２収納室４０Ｂ内を移動することを防ぐことが出来る。第１実施形態とは異なり、第２実施形態にかかる収納ケース１０Ｂは、第２カバーを設けることなく、本体２０Ｂのみでアダプタ５を固定することができる。
【００８５】
〔第３実施形態〕
第３実施形態にかかる収納ケース１０Ｃについて、図１１、図１２、及び図１３を用いて説明する。図１１は、収納ケース１０Ｃを示す斜視図である。図１１に示すように、収納ケース１０Ｃは、本体２０Ｃと、第１カバー５０と、第２カバー６０Ｃと、を備える。収納ケース１０Ｃは、第２カバー６０Ｃを引き出して、アダプタ５のメンテナンスを行う。
【００８６】
図１２は、本体２０Ｃの第２収納室４０Ｃを示す斜視図である。図１２に示すように、第２収納室４０Ｃは、外側壁４２と、仕切り側壁３６、３７と、第２床４１と、第１板部６１Ｃと、第２板部６２と、で囲まれる。第２収納室４０Ｃは、レール部４１Ｃ、４２Ｃ、本体側規制部４３Ｃ、４４Ｃを備える。
【００８７】
レール部４１Ｃは、外側壁４２から前向きに突出して形成され、上下方向に所定の距離隔てて左右方向に延びる２本の突条梁である。レール部４２Ｃは、仕切り側壁３６から後向きに突出して形成され、上下方向に所定の距離隔てて左右方向に延びる２本の突条梁である。
【００８８】
本体側規制部４３Ｃは、仕切り側壁３６の右端から後向きに突出して形成される。本体側規制部４４Ｃは、外側壁４２の右端から前向きに突出して形成される。
【００８９】
図１３は、第２カバー６０Ｃを示す斜視図である。第２カバー６０Ｃは、第１板部６１Ｃと、第２板部６２と、誘導部６４Ｃ、６５Ｃと、リブ挟み部６６Ｃ、６７Ｃと、カバー側規制部６８Ｃ、６９Ｃと、を備える。
【００９０】
図１３に示すように、誘導部６４Ｃ、６５Ｃは、第１板部６１Ｃの前後方向の両端に左右方向に延びて形成される。本体２０Ｃのレール部４１Ｃ、４２Ｃのそれぞれの２本の突条梁の間に誘導部６４Ｃ、６５Ｃを挟むことが可能である。誘導部６４Ｃ、６５Ｃがレール部４１Ｃ、４２Ｃの２本の突条梁の間にそれぞれ挟まれた状態で、ユーザが本体２０Ｃから第２カバー６０Ｃを右向きに引くことで、レール部４１Ｃ、４２Ｃの２本の突条梁の間を誘導部６４Ｃ、６５Ｃがそれぞれ摺動される。その結果、アダプタ５が外部に露出し、ユーザは種々のメンテナンスを行うことができる。ただし、第１光ファイバ３の長さを、第１収納室３０に収納されたレーザ光源２と、第２収納室４０Ｃに収納されたアダプタ５と、の間の左右方向の最短距離ＦＤと、アダプタ５の左右方向の長さＡＬとを足した長さより長く設けなければ、第２カバー６０Ｃが引き出されることにより発生する左右方向への張力が第１光ファイバ３にかかり、第１光ファイバ３の光伝送に関し悪影響を及ぼす危険性がある。
【００９１】
リブ挟み部６６Ｃ、６７Ｃは、第１板部６１Ｃの前後方向における両側に設けられる。リブ挟み部６６Ｃ、６７Ｃは、上から見て二股形状であり、互いに二股部分の開放側を前後方向に相対させて設けられる。リブ挟み部６６Ｃ、６７Ｃは、アダプタ５のリブ５Ａ、５Ｂをそれぞれ嵌めることが可能である。これにより、第２収納室４０Ｃ内におけるアダプタ５の左右方向及び前後方向の移動を規制することができる。また、第１板部６１とアダプタ５の接続部５Ｃの下面とが当たり、第２床４１とアダプタ５の接続部５Ｃの上面とが当たることで、アダプタ５が上下方向に移動することを規制している。本実施形態におけるリブ挟み部６６Ｃ、６７Ｃは、本発明における規制部の一例である。
【００９２】
カバー側規制部６８Ｃ、６９Ｃは、前後方向における両側の左側方にそれぞれ設けられる。カバー側規制部６８Ｃ、６９Ｃは、第１板部６１Ｃの前後方向における両端より外側寄りに突出している。ゆえに、ユーザが第２カバー６０Ｃを本体２０Ｃから右向きに第１板部６１Ｃの左右方向の長さほど引き出した際に、本体２０Ｃの本体側規制部４３Ｃ、４４Ｃに第２カバー６０Ｃのカバー側規制部６８Ｃ、６９Ｃが引っかかる。これにより、本体２０Ｃと第２カバー６０Ｃとが容易に分離することを防ぐことが出来る。
【００９３】
〔変形例〕
本発明は、以上述べた実施形態に限定されることは無く、その趣旨を逸脱しない範囲において種々の変形・変更が可能である。以下にその一例を述べる。なお、変形例において、本実施形態と同じ構成についての説明は省略し、本実施形態と相違する部分の構成についてのみ説明を行う。同じ構成部分については同一の符号を付す。
【００９４】
収納ケースの概観に関する変形例について説明する。第１〜第３実施形態においては、収納ケースは、直方体形状であるが、多角形形状であってもよい。第１〜第３実施形態においては、収納ケースは、アクリル樹脂からなるが、他の樹脂であっても構わない。また、収納ケースは樹脂でなくても、金属であってもよい。収納ケースは可撓性がある材料であればよい。
【００９５】
収納ケースの内部構成に関する変形例について説明する。第１〜第３実施形態においては、第１カバーが設けられたが、第１カバーはなくてもよい。しかし、ユーザが容易にレーザ光源、回路基板、又は第１光ファイバに触れないよう、仕切り側壁の高さを高くしたり、第１収納室と第２収納室との位置を離したり、第１収納室の開放側と第２収納室の開放側とを収納ケースの異なる面に設けたりする必要がある。第１実施形態、及び第３実施形態においては、第２カバーが設けられたが、第２カバーはなくてもよい。第１〜第３実施形態においては、第２収納室内に規制部が設けられたが、規制部は設けなくてもよい。
【００９６】
収納ケース以外の変形例について説明する。第１〜第３実施形態においては、レーザ光源は、レーザダイオードであったが、ＬＥＤ、半導体レーザ等指向性のある光を発する光源であればよい。第１〜第３実施形態においては、光源側コネクタ、及び受光対象側コネクタは、ＳＣコネクタであったが、ＭＵコネクタ、ＬＣコネクタ等、アダプタによって接続し、コネクタの外周に少なくとも１つの面を有するコネクタであればよい。第１〜第３実施形態においては、アダプタは、ＳＣアダプタであったが、ＭＵアダプタ、ＬＣアダプタ等、アダプタの外周に少なくとも１つの面を有するアダプタであればよい。第１〜第３実施形態においては、第２光ファイバは、網膜走査ディスプレイの頭部装着ユニットに光学的に接続されたが、第２光ファイバから出射された光を表示する光表示装置であればよい。第１〜第３実施形態においては、第１光ファイバ、及び第２光ファイバを通る光は画像光であったが、回路基板によって変調されたレーザ光であればよい。
【符号の説明】
【００９７】
１     回路基板
２     レーザ光源
３     第１光ファイバ
４     光源側コネクタ
５     アダプタ
６     受光対象側コネクタ
７     第２光ファイバ
１０   収納ケース
２０   本体
３０   第１収納室
３６、３７    仕切り側壁
３７Ｈ 連通孔
４０   第２収納室
５０   第１カバー
６０   第２カバー
６２Ｈ 開口
１００ 光出射装置
【図１】
2012078388.tif 000003
【図２】
2012078388.tif 000004
【図３】
2012078388.tif 000005
【図４】
2012078388.tif 000006
【図５】
2012078388.tif 000007
【図６】
2012078388.tif 000008
【図７】
2012078388.tif 000009
【図８】
2012078388.tif 000010
【図９】
2012078388.tif 000011
【図１０】
2012078388.tif 000012
【図１１】
2012078388.tif 000013
【図１２】
2012078388.tif 000014
【図１３】
2012078388.tif 000015